(57)【特許請求の範囲】
【請求項１】
対物レンズによって形成された像を接眼レンズにより観察するファインダー光学系において、該接眼レンズは、物体側から順に、負レンズＬ１と、両レンズ面が凸面の正レンズＬ２と、アイポイント側に凹面を向けた負レンズＬ３より構成され、前記正レンズＬ２を光軸方向に移動させることにより視度調節を行い、視度が−１ディオプトリーであるときの前記接眼レンズの焦点距離をｆ、前記正レンズＬ２の焦点距離をｆ２、前記負レンズＬ３の物体側のレンズ面の曲率半径をＲ３ｆ、前記負レンズＬ３のアイポイント側のレンズ面の曲率半径をＲ３ｒとしたとき、
０．２５＜｜ｆ２／ｆ｜＜０．７５
２．３９５≦（Ｒ３ｆ＋Ｒ３ｒ）／（Ｒ３ｆ−Ｒ３ｒ）
を満足することを特徴とするファインダー光学系。
【請求項２】
前記正レンズＬ２は少なくとも１つの非球面を有することを特徴とする請求項１に記載のファインダー光学系。
【請求項３】
前記負レンズＬ３は少なくとも１つの非球面を有することを特徴とする請求項２に記載のファインダー光学系。
【請求項４】
前記負レンズＬ３は両レンズ面が非球面であることを特徴とする請求項２に記載のファインダー光学系。
【請求項５】
前記負レンズＬ１は成型材料であり、前記負レンズＬ１の材質のアッベ数をνｄとしたとき、
２０．０＜νｄ＜４０．０
を満足することを特徴とする請求項１に記載のファインダー光学系。
【請求項６】
前記対物レンズによって形成された像を正立像形成用の光学部材を介して観察することを特徴とする請求項１に記載のファインダー光学系。
【請求項７】
前記負レンズＬ３のレンズ厚をＤ３としたとき、
０．０７＜Ｄ３／ｆ＜０．１５
を満足することを特徴とする請求項１に記載のファインダー光学系。
【請求項８】
請求項１から７のいずれか１項に記載のファインダー光学系を有することを特徴とする光学機器。
【発明の詳細な説明】
【０００１】
【発明の属する技術分野】
本発明は、ファインダー光学系及びそれを用いた光学機器に関し、例えば銀塩カメラや撮像素子にＣＣＤなどを用いたデジタルカメラ、ビデオカメラ等の光学機器に用いられ特に、いわゆる３５ｍｍフィルムよりもイメージサークルの小さい撮像手段を用いた光学機器に好適なものである。
【０００２】
【従来の技術】
従来より、一眼レフカメラのファインダー光学系では撮影レンズによる被写体像を撮影レンズの像面側に配置されたクイックリターンミラーによって反射させて焦点板上に形成し、該焦点板上の被写体像（ファインダー像）をペンタプリズム等を介して正立像とした後、接眼レンズによって拡大して観察するように構成している。
【０００３】
このようなファインダー光学系に用いられる接眼レンズとしてはカメラの小型化や簡素化の為に１枚の正レンズ又は正レンズと負レンズとを接合した貼合わせレンズより構成しているものが多い。
【０００４】
一眼レフカメラ用のファインダー光学系ではペンタプリズムの大きさに依存する焦点板から接眼レンズまでの光路長によって、ファインダーの観察倍率や接眼レンズから観察者の瞳孔までの距離（以後、アイレリーフと記す。）等のファインダーの仕様が決定されている。
【０００５】
このような一眼レフカメラのファインダー光学系（以下「ファインダー」ともいう。）において、ファインダーの観察倍率を大きくしようとしたものや、アイレリーフを十分に長くしようとしたものが従来より各種提案されている。
【０００６】
一般にファインダーの観察倍率を大きくするためには、接眼レンズの焦点距離を短くすることが必要となる。しかしながら一眼レフカメラのファインダーにおいては、視度を−１ディオプトリー付近に設定することが必要となるため、焦点板から接眼レンズまでの距離（接眼レンズの主点位置までの光路長）によって実質的な接眼レンズの焦点距離は決定されてしまう。
【０００７】
従って最も単純にファインダーの観察倍率を大きくするにはペンタプリズムの光路長を短くし、接眼レンズをペンタプリズムに近接させて配置すれば良いのだが、このような構成としてしまうと、ファインダーの観察部がカメラの後面より物体側に奥まってしまい、観察者が瞳を接眼レンズに近接させることが困難となるため好ましくない。
【０００８】
そこで接眼レンズそのものをペンタプリズムに近接させて配置する代わりに、接眼レンズの主点を近接させて配置することによって観察倍率を大きくしたものが提案されている。
【０００９】
特開平１−１４２５２１号公報では、接眼レンズを厚いメニスカス形状の単レンズで構成することによって、接眼レンズの主点位置を前方に配置させ、ファインダーの観察倍率を大きくしたファインダーが開示されている。
【００１０】
特開平６−１０９９８４号公報では、接眼レンズを正の屈折力のレンズと負の屈折力のレンズの２枚構成とし、この２枚のレンズを空気間隔を隔てて配置することによって、やはり接眼レンズの主点位置を前方に配置させ、ファインダーの観察倍率を大きくしようとしたファインダーが開示されている。
【００１１】
また一般に、アイレリーフを十分に長くしようとしたとき、まずペンタプリズムを十分に大きく構成して、ペンタプリズムによる光線のけられを極力少なくすることが必要となるが、この際、焦点板から接眼レンズまでの光路長が必然的に長くなり、ファインダーの観察倍率は一層小さくなってしまう。
【００１２】
このように従来より最も一般的に実施されている一眼レフカメラのファインダー光学系においては、ファインダーの観察倍率を大きくすることとアイレリーフを十分に長く設定することは相反することであった。
【００１３】
一眼レフカメラのファインダー光学系において、これらの仕様の双方を十分なものとしたものにウエストレベルファインダーのようにペンタプリズム等の正立像形成用の光学系を介在しないファインダーはあるものの、ペンタプリズム等を使用するものでは十分なものは少なかった。
【００１４】
一方、ファインダー光学系において、観察者それぞれの視度に対応するためファインダー視度を適宜変更可能とすることは、要望の多い機能の１つである。
【００１５】
この機能が搭載されていないと、必要に応じて観察者は眼鏡等を使用することになり、その結果、接眼レンズに対してさらに瞳を近接させることができなくなって、ファインダー像がより見づらいものとなってしまう。
【００１６】
一眼レフカメラのファインダー光学系において、ファインダー視度を適宜変更可能に構成したものも従来より種々と提案されている。特開昭５７−１９０９３４号公報では、ペンタプリズムの後方に配置する接眼レンズをペンタプリズム側から順に負レンズ、正レンズ、正レンズの３群３枚構成とし、かつ第２レンズ、及び第３レンズの屈折力を適切に設定し、さらに第２レンズを光軸上を移動させることによって、諸収差を良好に補正しつつ、ファインダー視度を変更可能としたファインダーが開示されている。
【００１７】
特開昭５６−９１２１０号公報では、ペンタプリズムの後方に配置する接眼レンズをペンタプリズム側から順に負レンズ、正レンズ、正レンズ、負レンズの４群４枚構成とし、かつ第４レンズ等の屈折力を適切に設定し、さらに第２レンズ、及び第３レンズを光軸上を移動させることによって、諸収差を良好に補正しつつ、広範囲にわたってファインダー視度を変更可能としたファインダーが開示されている。
【００１８】
特開平９−３２９７５２号公報では、ペンタプリズムの後方に配置する接眼レンズをペンタプリズム側から順に負レンズ、正レンズ、正レンズ、負レンズの４群４枚構成とし、各レンズの形状を適切に設定することで、諸収差を良好に補正しつつ、ハイアイポイントを実現しながらも、視度調節を可能としたファインダを開示している。
【００１９】
このように接眼レンズを複数枚のレンズで構成して、そのうちの一部のレンズを移動させてファインダー視度を変更可能としたものは、従来より数多く提案されている。
【００２０】
【発明が解決しようとしている課題】
一眼レフカメラのファインダー光学系においては観察倍率が大きいこと、アイレリーフが長いこと、そしてファインダーの視度が可変であること等が観察者にとって大変便利である。しかしながらこれらの各機能を１つのファインダー光学系で達成しようとすると、光学系全体が複雑化することでレンズ枚数が増加し、また、ファインダー視度可変用の駆動部の鏡筒等の部品が増えるために、装置全体が複雑になってしまい、製品化が大変困難になってくる。
【００２１】
本発明は、撮影レンズ（対物レンズ）によって所定面に形成した被写体像（ファインダー像）を観察する際、各要素を適切に設定することにより光学系全体の小型化を図りつつ、所定の大きさの観察倍率及び所定の長さのアイレリーフが容易に得られ、又、ファインダー視度調整も容易な観察者の要望に適宜対応することができ、しかも良好なるファインダー像の観察ができる一眼レフカメラ等に好適なファインダー光学系及びそれを用いた光学機器の提供を目的とする。
【００２２】
【課題を解決するための手段】
請求項１の発明のファインダー光学系は、対物レンズによって形成された像を接眼レンズにより観察するファインダー光学系において、該接眼レンズは、物体側から順に、負レンズＬ１と、両レンズ面が凸面の正レンズＬ２と、アイポイント側に凹面を向けた負レンズＬ３より構成され、前記正レンズＬ２を光軸方向に移動させることにより視度調節を行い、視度が−１ディオプトリーであるときの前記接眼レンズの焦点距離をｆ、前記正レンズＬ２の焦点距離をｆ２、前記負レンズＬ３の物体側のレンズ面の曲率半径をＲ３ｆ、前記負レンズＬ３のアイポイント側のレンズ面の曲率半径をＲ３ｒとしたとき、
０．２５＜｜ｆ２／ｆ｜＜０．７５    ・・・（１ａ）
２．３９５≦（Ｒ３ｆ＋Ｒ３ｒ）／（Ｒ３ｆ−Ｒ３ｒ）    ・・・（２ａ）
を満足することを特徴としている。
【００２３】
請求項２の発明は請求項１の発明において、前記正レンズＬ２は少なくとも１つの非球面を有することを特徴としている。
【００２４】
請求項３の発明は請求項２の発明において、前記負レンズＬ３は少なくとも１つの非球面を有することを特徴としている。
【００２５】
請求項４の発明は請求項２の発明において、前記負レンズＬ３は両レンズ面が非球面であることを特徴としている。
【００２６】
請求項５の発明は請求項１の発明において、前記負レンズＬ１は成型材料であり、前記負レンズＬ１の材質のアッベ数をνｄとしたとき、
２０．０＜νｄ＜４０．０    ・・・（３ａ）
を満足することを特徴としている。
【００２７】
請求項６の発明は請求項１の発明において、前記対物レンズによって形成された像を正立像形成用の光学部材を介して観察することを特徴としている。
【００２８】
請求項７の発明は請求項１の発明において、前記負レンズＬ３のレンズ厚をＤ３としたとき、
０．０７＜Ｄ３／ｆ＜０．１５    ・・・（３ｂ）
を満足することを特徴としている。
【００２９】
請求項８の発明の光学機器は、請求項１から７のいずれか１項に記載のファインダー光学系を有することを特徴としている。
【００３０】
【００３１】
【００３２】
【００３３】
【００３４】
【００３５】
【発明の実施の形態】
図１は本発明のファインダー光学系を光学機器として一眼レフカメラに適用したときの要部断面図である。図２、図６、図８、図１２、図１６は本発明に係わる接眼レンズの数値実施例１〜５のレンズ断面図である。
【００３６】
図３〜５、図９〜図１１、図１３〜図１５、図１７〜図１９は本発明に係わる接眼レンズの数値実施例１、３、４、５のファインダー視度が−１ディオブトリー、−３ディオブトリー、＋１ディオブトリーのときの収差図である。
【００３７】
図７は本発明に係わる接眼レンズの数値実施例２のファインダー視度か−１ディオブトリーの収差図である。
【００３８】
尚、図６の数値実施例２ではファインダー視度補正を行った例ではないが正レンズ６ｂを光軸上、僅かに移動させてファインダー視度調節を行っても良い。
【００３９】
図において１は撮像レンズ、（対物レンズ）である。２はクイックリターンミラーであり、回転軸２ａを中心に回動可能となっている。３はピント板（フレネルレンズ）、４はピント板（焦点板）（マット面）であり、撮影レンズ１による物体像が形成されている５はペンタプリズムであり、像反転作用を有している。６は接眼レンズである。
【００４０】
ＩＰは感光面であり、その面上では撮像手段やフィルム等が配置されている。
【００４１】
７は観察者の瞳孔の位置（アイポイント）であり、そこよりピント板４上の物体像をペンタプリズム５を介して正立像とし、接眼レンズ６を介して観察している。
【００４２】
本発明のフィルター光学系の一要素を構成する接眼レンズ６は物体側より、負レンズ６ａ（Ｌ１）、両レンズ面が凸面の正レンズ６ｂ（Ｌ２）、アイポイント７側に凹面を向けたメニスカス状の負レンズ６ｃ（Ｌ３）の３枚のレンズより成ることを基本構成している。
【００４３】
そして本発明では前述の条件式（１ａ）（２ａ）を満足するようにしている。
【００４４】
これによってファインダー倍率を十分に大きくしながらも接眼レンズ６の射出面から観察者の瞳孔７までの距離（アイレリーフ）を十分に長くしている。
【００４５】
本実施形態では撮影レンズ１によってフィルム面ＩＰに結像される被写体像を回転ミラー２で反射させフレネルレンズ３を介して焦点板４上に結像させている。
【００４６】
そして被写体像をペンタプリズム５によって正立像とし、接眼レンズ６によって十分に拡大して観察者の瞳孔位置７から観察するように構成している。
【００４７】
又、ファインダー光学系の光路長を短くし、かつ接眼レンズ６を所定形状の３つのレンズにより構成することによって正立像形成用の光学部材として作用するぺンタプリズムの大きさを小さくしながらも十分に長いアイレリーフを持つように構成している。その結果、ファインダー光学系としては、その観察倍率を十分に大きくし、かつアイレリーフを十分に長くしたファインダー光学系を実現している。
【００４８】
尚、本発明において、更にファインダー倍率を十分大きくしつつ、また、ファインダー視度調節も容易でありながら、実用的なアイレリーフを十分に長く保ち、諸収差の良好に補正された見やすいファインダー光学系を実現するには次の諸条件のうちの少なくとも１つ以上を満足させるのが良い。
【００４９】
本発明においては（ア−１）前記正レンズ６ｂは少なくとも１つの非球面を有する事である。
【００５０】
（ア−２）前記負レンズ６ｃは少なくとも１つの非球面を有する事である。
【００５１】
（ア−３）前記負レンズ６ｃは両レンズ面が非球面である事である。
【００５２】
（ア−４）前記正レンズ６ｂを光軸方向に移動させることで、視度調節を行うことである。
【００５３】
（ア−５）前記負レンズ６ａは成型材料であり、該負レンズ６ａの材質のアッベ数をνｄとしたとき２０．０＜νｄ＜４０．０ …(３ａ)を満足することである。
【００５４】
（ア−６）前記接眼レンズにより、前記対物レンズによって形成された像を正立像形成用の光学部材を介して観察していることである。
【００５５】
（ア−７）前記負レンズ６ｃのレンズ厚をＤ３としたとき
０．０７＜Ｄ３／ｆ＜０．１５    ・・・（３ｂ）
を満足することである。
【００５６】
【００５７】
【００５８】
【００５９】
本発明では正レンズ６ｂを光軸方向に移動させることで、収差変動を少なくしつつファインダー視度の調整を行っている。
【００６０】
そして物体側より、２枚目の正レンズ６ｂを樹脂による成型品とし、物体側のレンズ面を非球面形状にすることにより歪曲収差の発生を押さえている。同様に、樹脂成型された３枚目の負レンズ６Ｃを、両レンズ面を非球面により構成し、主にコマ収差等を良好に補正している。
【００６１】
以上のように、本発明では接眼レンズに非球面レンズを用いることで、より良好なファインダー光学系を実現している。
【００６２】
次に、前述の各条件式の技術的意味について、説明する。
【００６３】
条件式（１ａ）は、接眼レンズの物体側から２枚目の正レンズ６ｂの焦点距離と、接眼レンズ全体の焦点距離の比を規定するものであり、主として、ファインダー視度調整の際のレンズの駆動量の敏感度を適切に設定するためのものである。条件式（１ａ）の下限を超えて、正レンズ６ｂの焦点距離が短くなると、ファインダー視度調整のためのレンズの駆動量は少なくなるが、全体のファインダー倍率を保つために、物体側から１枚目の負レンズ６ａの焦点距離も短くしなければならなくなる。その場合、１枚目の負レンズの発散作用で光線が跳ね上げられるため、正レンズ６ｂの有効径を大きくする必要がある。正レンズは焦点距離が短い場合、レンズ中心と、レンズ周辺の偏肉比が大きくなるため有効径確保のためには、レンズの厚みを厚くしなければならず、成型性が低下し、製作が難しくなってくる。
【００６４】
逆に、条件式（１ａ）の上限を超えて、正レンズ６ｂの焦点距離が長くなると、物体側から１枚目の負レンズ６ａのパワーも弱く設定でき、発散性が弱まり、正レンズ６ｂの有効径がさほど大きくならなく、また、正レンズ自体のパワーも弱いことから正レンズの形状は偏肉比が小さく押さえられるが、ファインダー視度調整のための正レンズの駆動量が増大し駆動スペースを確保するために、ファインダー全長を長くする必要があり、そのため、十分な倍率とアイポイントを得ることが困難となり好ましくない。
【００６５】
条件式（２ａ）は、物体側より３枚目の負レンズ６Ｃシェイプファクターを規定するものであり、主として、負レンズ６Ｃの前側主点位置を設定するものである。
【００６６】
条件式（２ａ）を満たす状態においては、負レンズ６Ｃは像面に凹面を向けたメニスカスレンズになっており、前側主点の位置はレンズ自体よりも物体面側に存在する。この事は、負レンズ６Ｃ１枚で、物体側のレンズ面で正レンズの役割を、アイポイント側のレンズ面で負レンズの役割をすることになり、両レンズ面でテレフォト系を構成することになるため、ファインダーの倍率アップに役立っている。
【００６７】
条件式（２ａ）の下限を超えた値をとる場合、すなわち、物体側のレンズ面の正レンズの作用が弱くなる場合、レンズの前側主点位置は後ろ側に移動するため、テレフォト系の効果が弱まり十分な倍率を得られない。
【００６８】
条件式（３ｂ）は、物体側から３枚目の負レンズ６Ｃの肉厚と接眼レンズ全体の焦点距離の比を規定するものであり、特に、所望の倍率（見かけの視野角）を得るための条件式である。条件式（２ａ）と同様に、負レンズ６Ｃでのテレフォト系効果を設定するためのものである。負レンズ６Ｃは、物体側のレンズ面の正レンズ作用と、アイポイント側のレンズ面の負レンズ作用によってテレフォト系効果を得ているが、その効果は、両面の間隔が広いほど大きくなる。よって、条件式（３ｂ）の下限を超えてレンズ厚が薄くなると、テレフォト系の効果が十分得られず、ファインダー倍率が高くならない。
【００６９】
一方、条件式（３ｂ）の上限を超えて、レンズ厚が厚くなると、テレフォト系の効果は高まるが、レンズの成型性が悪くなり、製作が難しくなってくる。
【００７０】
条件式（３ａ）は物体側より１枚目の負レンズ６ａの材質のアッベ数を規定するものである。負レンズ６ａは条件式（３ａ）の範囲の高分散の材質を選ぶことにより、色消し効果を得るためのものである。適切なアッベ数の材料を選ぶことで、倍率の色収差の補正を行うことができる。２枚目の正レンズ６ｂで発生する倍率色収差を補正するためには１枚目の負レンズ６ａに高分散の材質を用いることが最適で、数値実施例１ではポリカーボをもちいている。２枚目、３枚目のレンズにもアクリル材質を使うことで、３つのレンズ全てがモールド成型で構成でき、たいへん製作しやすいファインダー系を構成している。
【００７１】
以上説明したように、各条件式を満足することで、比較的簡易な構成の接眼レンズを使用したファインダー光学系でありながら、ファインダー倍率を十分大きくしつつ、また、ファインダー視度調節も容易でありながら、実用的なアイポイントを十分に長く保ちつつ、諸収差を良好に補正することに成功している。
【００７２】
以下に本発明の数値実施例を示す。
【００７３】
各数値実施例においてｒｉは物体側より順に第ｉ番目の面の曲率半径、ｄｉは物体側より順に第ｉ番目の面と第（ｉ＋１）番目の面の間隔、ｎｉとνｉ各々物体側より順に第ｉ番目の光学部材のガラスの屈折力とアッベ数である。
【００７４】
なお、各数値実施例において＊印は非球面を表わしており、非球面形状は光軸方向にＸ軸、光軸と垂直方向にＹ軸、光の進行方向を正としＲを近軸曲率半径、Ｋ、Ｂ、Ｃ、を各々非球面係数としたとき、
【００７５】
【数１】
0004573947.tif 000002
【００７６】
によって定義されるものである。
【００７７】
また「ｅ−０Ｘ」の表示は「１０-X」を意味している。
また前述の各条件式と数値実施例における諸数値との関係を表−１に示す。
数値実施例 １
r 1=     0.000        d 1=  82.75    n 1=1.51633  v 1=64.2
r 2=     0.000        d 2=   0.80
r 3=  -100.460        d 3=   2.00    n 2=1.58306  v 2=30.2
r 4=    39.907        d 4= 可変
r 5=    16.063(非球面)d 5=   4.60    n 3=1.49171  v 3=57.4
r 6=   -29.972        d 6= 可変
r 7=    30.963(非球面)d 7=   6.00    n 4=1.49171  v 4=57.4
r 8=    14.000(非球面)d 8=  23.00
r 9=     0.000
焦点距離 58.16  56.56  60.03
可変間隔
d  4      2.55   4.20   1.00
d  6      3.75   2.10   5.30
非球面係数
第 5面    k       b        c
-2.463429e+00 1.749987e-05 -5.616213e-08
第 7面    k       b        c
523295e+00 -1.364678e-05 -3.196562e-07
第 8面    k        b        c
-3.590003e+00 1.613739e-04 -8.376741e-07
数値実施例 ２
r 1=     0.000        d 1=  82.75    n 1=1.51633  v 1=64.2
r 2=     0.000        d 2=   2.20
r 3=     0.000        d 3=   2.30    n 2=1.58306  v 2=30.2
r 4=    29.416        d 4=   0.20
r 5=    23.121        d 5=   6.80    n 3=1.49171  v 3=57.4
r 6=   -14.988(非球面)d 6=   1.30
r 7=    23.828        d 7=   6.70    n 4=1.49171  v 4=57.4
r 8=     9.793(非球面)d 8=  22.60
r 9=     0.000
焦点距離 54.88
非球面係数
第 6面    k        b        c
-5.157848e+00 -6.674128e-06 2.451395e-08
第 8面    k        b        c
-3.065774e+00 3.218130e-05 3.309122e-07
数値実施例 ３
r 1=     0.000        d 1=  82.75    n 1=1.51633  v 1=64.2
r 2=     0.000        d 2=   0.50
r 3=    44.427        d 3=   2.10    n 2=1.59270  v 2=35.3
r 4=    18.989(非球面)d 4= 可変
r 5=    19.491        d 5=   3.80    n 3=1.49171  v 3=57.4
r 6=   -42.756(非球面)d 6= 可変
r 7=    19.599        d 7=   6.00    n 4=1.49171  v 4=57.4
r 8=    14.000(非球面)d 8=  23.00
r 9=     0.000
焦点距離 58.48  55.93  61.36
可変間隔
d  4      2.60   4.20   1.00
d  6      4.70   3.10   6.30
非球面係数
第 4面    k        b        c
-3.988058e+00 3.690123e-05 -3.224454e-08
第 6面    k        b        c
-3.190630e+01 1.033277e-05 -1.960947e-08
第 8面    k        b        c
-6.198807e-01 -2.505320e-05 6.616713e-07
数値実施例 ４
r 1=     0.000        d 1=  82.75    n 1=1.51633  v 1=64.2
r 2=     0.000        d 2=   0.80
r 3=  -100.460        d 3=   2.00    n 2=1.58306  v 2=30.2
r 4=    39.907        d 4= 可変
r 5=    16.063(非球面)d 5=   4.60    n 3=1.49171  v 3=57.4
r 6=   -29.972        d 6= 可変
r 7=    29.546(非球面)d 7=   4.80    n 4=1.49171  v 4=57.4
r 8=    14.000(非球面)d 8=   3.00
r 9=     0.000        d 9=   1.20    n 5=1.51633  v 5=64.2
r10=     0.000        d10=  23.00
r11=     0.000
焦点距離 59.71  58.07  61.63
可変間隔
d  4      2.55   4.20   1.00
d  6      3.75   2.10   5.30
非球面係数
第 5面    k        b        c
-2.463429e+00 1.749987e-05 -5.616213e-08
第 7面    k       b        c
3.530366e+00 -1.506647e-05 -3.154533e-07
第 8面    k       b        c
-3.633192e+00 1.559255e-04 -8.321652e-07
数値実施例 ５
r 1=     0.000        d 1=  82.75    n 1=1.51633  v 1=64.2
r 2=     0.000        d 2=   0.80
r 3=  -100.460        d 3=   2.00    n 2=1.58306  v 2=30.2
r 4=    39.907        d 4= 可変
r 5=    16.349(非球面)d 5=   4.50    n 3=1.49171  v 3=57.4
r 6=   -36.008        d 6= 可変
r 7=    20.860        d 7=   6.00    n 4=1.63930  v 4=44.9
r 8=    12.862        d 8=   3.00
r 9=    0.0000        d 9=  23.00
r10=     0.000
焦点距離 57.14  54.76  59.78
可変間隔
d  4      2.65   4.30   1.10
d  6      3.75   2.10   5.30
非球面係数
第 5面    k       b        c
-4.014993e-01 -3.290166e-05 -3.141101e-08
【００７８】
【表１】
0004573947.tif 000003
【００７９】
【発明の効果】
本発明によれば、各要素を適切に設定することにより光学系全体の小型化を図りつつ、所定の大きさの観察倍率及び所定の長さのアイレリーフが容易に得られ、又ファインダー視度調整も容易な観察者の要望に適宜対応することができ、しかも良好なるファインダー像の観察ができる一眼レフカメラ等に好適なファインダー光学系及びそれを用いた光学機器を達成することができる。
【図面の簡単な説明】
【図１】本発明のファインダー光学系を用いた光学機器の電部断面図
【図２】本発明の数値実施例１の接眼レンズのレンズ断面図
【図３】本発明の数値実施例１の接眼レンズの−１ディオプターの収差図
【図４】本発明の数値実施例１の接眼レンズの−３ディオプターの収差図
【図５】本発明の数値実施例１の接眼レンズの＋１ディオプターの収差図
【図６】本発明の数値実施例２の接眼レンズのレンズ断面図
【図７】本発明の数値実施例２の接眼レンズの−１ディオプターの収差図
【図８】本発明の数値実施例３の接眼レンズのレンズ断面図
【図９】本発明の数値実施例３の接眼レンズの−１ディオプターの収差図
【図10】本発明の数値実施例３の接眼レンズの−３ディオプターの収差図
【図11】本発明の数値実施例３の接眼レンズの＋１ディオプターの収差図
【図12】本発明の数値実施例４の接眼レンズのレンズ断面図
【図13】本発明の数値実施例４の接眼レンズの−１ディオプターの収差図
【図14】本発明の数値実施例４の接眼レンズの−３ディオプターの収差図
【図15】本発明の数値実施例４の接眼レンズの＋１ディオプターの収差図
【図16】本発明の数値実施例５の接眼レンズのレンズ断面図
【図17】本発明の数値実施例５の接眼レンズの−１ディオプターの収差図
【図18】本発明の数値実施例５の接眼レンズの―３ディオプターの収差図
【図19】本発明の数値実施例５の接眼レンズの＋１ディオプターの収差図
【符号の説明】
１：撮像レンズ，２：クイックリターンミラー，３：ピント板（フレネル），４：ピント板（マット面），５：ペンタプリズム，６a：接眼レンズを構成する負レンズ，６b：接眼レンズを構成する正レンズ， ６c：接眼レンズを構成する負レンズ
【図１】
0004573947.tif 000004
【図２】
0004573947.tif 000005
【図３】
0004573947.tif 000006
【図４】
0004573947.tif 000007
【図５】
0004573947.tif 000008
【図７】
0004573947.tif 000009
【図８】
0004573947.tif 000010
【図９】
0004573947.tif 000011
【図１０】
0004573947.tif 000012
【図１１】
0004573947.tif 000013
【図１３】
0004573947.tif 000014
【図１４】
0004573947.tif 000015
【図１５】
0004573947.tif 000016
【図１６】
0004573947.tif 000017
【図１７】
0004573947.tif 000018
【図１８】
0004573947.tif 000019
【図１９】
0004573947.tif 000020
【図６】
0004573947.tif 000021
【図１２】
0004573947.tif 000022